(57)【要約】【課題】脚の所定の締め付け部位を締め付けて所定の加圧力を与えることによって、血流を阻害することで脚の筋肉を増強するために用いるベルトを外部から隠すようにした衣服を、ベルトの着脱作業および調整作業を容易にし、使いやすさを向上させるように改良する。【解決手段】加圧用ズボンは、脚の所定の締め付け部位を締め付けて、血流を阻害するベルト４と、ベルト４を外部から隠すズボン本体２と、ズボン本体２の内側に固定されたズボン形状のインナー５と、ベルト４をインナー５に対して固定する際に使用される、インナー５に取り付けられたバックル６と、を有する。ズボン本体２には、ベルト４を締め付け、または緩める着脱作業を行うための着脱用露出と、ベルト４の加圧力を調整する調整作業を行うための調整用露出を行うための線ファスナ３が設けられている。【選択図】  図１
2004215859.tif 000002
【特許請求の範囲】
【請求項１】
脚の所定の締め付け部位を締め付けて所定の加圧力を与えることによって、血流を阻害することで脚の筋肉を増強するために用いるベルトと、ズボン形状とされ、前記ベルトを外部から隠すためのズボン本体と、を有し、前記ベルトと前記ズボン本体は、使用時に互いに固定した状態で用いるように、着脱自在に構成されており、
前記ズボン本体は、その一部を開くことにより、その内部に位置する前記所定の締め付け部位を必要に応じて露出できるようになっており、且つ前記所定の締め付け部位に対して前記ベルトを締め付け、または緩める着脱作業を行うための着脱用露出、前記ベルトの加圧力を調整する調整作業を行うための調整用露出、という２種類の露出を行えるようになっている、
加圧用ズボン。
【請求項２】
前記着脱用露出が行われる際に開かれる前記ズボン本体の一部と、前記調整用露出が行われる際に開かれる前記ズボン本体の一部の少なくとも一方が、前記ズボン本体の外側部に位置する、
請求項１記載の加圧用ズボン。
【請求項３】
前記着脱用露出が行われる際に開かれる前記ズボン本体の一部と、前記調整用露出が行われる際に開かれる前記ズボン本体の一部とが、一連である、
請求項１又は２記載の加圧用ズボン。
【請求項４】
前記ズボン本体は、線ファスナを備えており、この線ファスナは、対向して設けられた多数の務歯と、通り過ぎることによって前記線ファスナの開状態を閉状態、あるいは閉状態を開状態にするスライダと、を有しており、この線ファスナを開状態とすることで、その一部を開くことができるようになっており、
前記線ファスナは、前記所定の締め付け部位の上側から下側にかけて設けられていると共に、前記上側と前記下側のいずれの方向からも開閉することができるようになっている、
請求項３記載の加圧用ズボン。
【請求項５】
前記線ファスナは、前記上側からはその一部を開閉することができ、前記下側からはその全てを開閉することができるようになっている、
請求項４記載の加圧用ズボン。
【請求項６】
前記線ファスナは、前記所定の締め付け部位の上側から前記ズボン本体の裾の末端にかけて設けられており、前記裾側から前記線ファスナが通り過ぎた部分が展開されるようになっている、
請求項４又は５記載の加圧用ズボン。
【請求項７】
脚を通すことができ、且つ前記所定の締め付け部位を覆うことのできる形状とされるとともに、前記ズボン本体の内側に固定されることで外部から見えなくなっているインナーと、
前記ベルトを前記インナーに対して固定する際に使用されるものであり、前記所定の締め付け部位に対応するようにして前記インナーに取り付けられたバックルと、
を更に備えている、請求項１ないし６のいずれかの項記載の加圧用ズボン。
【発明の詳細な説明】
【０００１】
【発明の属する技術分野】
本発明は、筋肉の増強に用いる筋肉増強器具に関し、健常者のみならず運動機能に障害を有する者でも効率よく筋肉増強を図れるようにする加圧筋肉増強方法を実行するのに適した筋肉増強器具に関する。
【０００２】
【発明の背景】
本願発明者の一人は、筋肉の増強を容易に、安全に且つ効率よく行えるようにする筋肉増強方法を開発すべく、兼ねてから研究を行っており、その成果として平成５年特許願第３１３９４９号の特許出願を行い、特許第２６７０４２１号を受けるに至っている。
【０００３】
この特許に係る筋肉増強方法は、加圧を用いて行う従来にはない特徴的なものであった。この筋肉増強方法は、以下のような理論に基づいている。
筋肉の増強は、一般的に、筋肉を疲労させて筋細胞を破壊した場合に、筋肉が、疲労の回復過程で筋細胞破壊以前の状態を越えた状態になるという「超回復」の過程を経てなされるものである。そのため、筋肉の増強にあたってはバーベルなどを用いた運動によって負荷を与え、その運動量を増加させるのが通常である。
その一方で、増強を行う対象となる筋肉における血流を阻害することによっても非常に多くの運動を行ったと同様の疲労を筋肉に与えることができる。したがって、筋肉における血流を阻害することによっても、筋肉の飛躍的な増強を図ることができるようになる。
上記特許に係る筋肉増強方法は、この血流阻害による筋肉増強の理論を応用したものであり、より詳細に言えば、増強を図ろうとする筋肉に対して近接する心臓に近い部位、即ちその筋肉に対して近接する上位部位に、血流を阻害させる締め付け力を与え、その締め付け力を調整することによって筋肉に血流阻害による適切な負荷を与え、それによって筋肉に疲労を生じさせ、もって筋肉の効率のよい増強を図るというものである。
この筋肉増強方法は、血流阻害による負荷を筋肉に与えることにより筋肉の増強を行うものであるため、筋肉を増強するにあたって、運動を行わなくてもよくなるという大きな特徴を有する。また、この筋肉増強方法は、血流阻害による負荷を筋肉に与えることにより筋肉に与える負荷の総量を補償することができるので、運動と組み合わせる場合には、運動による負荷を従来よりも減らせるという利点をもっている。この利点は、筋肉に行わせる運動量を減少させることにより、関節や筋肉の損傷のおそれを減少させられる、トレーニング期間を短縮できるようになるといった効果を生む。
【０００４】
ところで、この筋肉増強方法を実行するには、増強を図ろうとする筋肉に流れる血流を阻害することが可能で、また、筋肉に与えている締めつけ力を正確に調節できる筋肉増強器具が不可欠である。
このような筋肉増強器具は、一般に、紐状、或いはベルト状の緊締帯を含んで構成される。また、このような筋肉増強器具の緊締帯は、ループ形状を保つことができ、且つそのループの長さを保つことのできる固定のための手段を備えている。
かかる筋肉増強器具は、以下のように用いる。即ち、筋肉増強方法を実行する者は、緊締帯が作るループの中に増強を図りたい身体の所定の部位（例えば、腕、又は脚）を通し、緊締帯が筋肉に与える締め付け力が血流を阻害させるに適当なものとなる程度にそのループの長さを縮め（締め付けを行い）、そのループの長さを保つように、固定のための上述の手段でループの長さを固定する。そして、筋肉増強方法を実行する者は、そのままの状態を保つ、或いは緊締帯を身につけたまま運動を行う。これにより、加圧筋肉増強方法が実行されることになる。
【０００５】
本願発明者は、血流阻害による筋肉増強方法を広く公衆に普及させるべく、この筋肉増強器具について研究を重ねている。
その過程で、平成１０年特許願第１８６２７７号に記載の発明を行った。この発明は、上述の如き筋肉増強器具を、四肢を覆う筒状部分（例えば、トレーニングシャツの袖の基端部分、或いはトレーニングパンツの裾の基端部分）に取り付けて構成される筋肉増強用衣服に関する。
この発明に係る筋肉増強用衣服は、通常の衣服と変わらない着方で着用しているだけでも血流阻害による筋肉増強方法を実行できるという手軽さがあるため、血流阻害による筋肉増強方法を広く公衆に普及させるに十分に寄与するものである。
【０００６】
しかしながら、かかる筋肉増強用衣服にも改良すべき点がないわけではない。
それは、筋肉増強方法を実行する場合には、血流の阻害を行うために四肢に付与する圧の調整を正確に行うことが必要であるという事情に起因する。上述の衣服では、筋肉増強器具が衣服の四肢を覆う筒状部分と一体化されているため、四肢の太さの異なる者に対応することが難しく、また筋肉増強器具の作用により四肢に筋肉がついた場合には同一人でも使用が困難になる場合がある。もちろん、筋肉増強器具が取付けられた衣服を丸ごと交換すれば、これらの場合にも対応できるが、かかる方法による解決は、経済的とは言い難い。
また、この衣服は、緊締帯が四肢を覆う筒状部分の外側に設けられているため、緊締帯が外部から見えるようになっており、ファッション性に欠ける面もあった。
【０００７】
以上のような不都合を解消するために、必要に応じて緊締帯たるベルトを付け替えることができるように、衣服に対してベルトを着脱自在とし、衣服の内側にベルトを取り付けて、ベルトを外部から隠すようにした衣服も考えられる。
このベルトを着脱自在とし、ベルトを外部から隠すようにした衣服は良い点もあるが、ベルトを外部から隠すようになっているため、ベルトを締め付けたり、緩めたりする着脱作業や、加圧力を調整する調整作業が行いにくくなる。
【０００８】
【発明が解決しようとする課題】
そこで、本願発明は、ベルトを外部から隠すようにした衣服であって、ベルトの着脱作業および調整作業を容易にし、使いやすさを向上させた、血流阻害による筋肉増強方法を広く公衆に普及させるのに寄与するような、筋肉増強器具を提供することを目的とする。
【０００９】
【課題を解決するための手段】
上述の目的を達成するため、本発明は、脚の所定の締め付け部位を締め付け、所定の加圧力を与えることによって、血流を阻害することで脚の筋肉を増強するために用いるベルトと、ズボン形状とされ、前記ベルトを外部から隠すためのズボン本体と、を有し、前記ベルトと前記ズボン本体は、使用時に互いに固定した状態で用いるように、着脱自在に構成されており、前記ズボン本体は、その一部を開くことにより、その内部に位置する前記所定の締め付け部位を必要に応じて露出できるようになっており、且つ前記所定の締め付け部位に対して前記ベルトを締め付け、または緩める着脱作業を行うための着脱用露出、前記ベルトの加圧力を調整する調整作業を行うための調整用露出、という２種類の露出を行えるようになっている、加圧用ズボンを提供する。
【００１０】
ズボン本体によってベルトが外部から隠れるようになっているズボンは、誰にも知られずにベルトを締め付けた状態で運動することができ、ファッション性を高めることができる。
しかし、このズボンは、上述のように、ベルトの着脱作業および調整作業を行いづらいという不都合を有する。この点、本発明の加圧用ズボンでは、前記ズボン本体が、その一部を開くことにより、その内部に位置する前記所定の締め付け部位を必要に応じて露出できるようになっており、且つ前記所定の締め付け部位に対して前記ベルトを締め付け、または緩める着脱作業を行うための着脱用露出を行えるようになっているため、ズボン本体をめくり上げて着脱作業を行う必要がなく、ズボン本体を履いた状態で、ベルトの着脱作業を行うことができる。
また、着脱用露出だけでなく、前記ベルトの加圧力を調整する調整作業を行うための調整用露出も行えるようになっているため、ベルトを締め付けて運動している最中にベルトの加圧力の調整をしたくなった場合、ズボン本体の一部を開くことにより、その内部に位置する前記所定の締め付け部位を露出することにより、ズボンを履いた状態で、ベルトの調整作業を行うことができる。
筋肉増強トレーニングは屋外で行うことが多いところ、本発明による加圧用ズボンによれば、所定の締め付け部位を必要に応じて露出できるようになっているため、特に女性にとって、屋外での調整作業が行いやすいものとなる。
この調整用露出の露出量は、調整作業を行うことができるような露出量であれば足りるので、その量は少なくてもよく、前記着脱用露出の露出量よりも少ないものとしてもよい。
【００１１】
また、この加圧用ズボンにおける前記ベルトと前記ズボン本体は、着脱自在になっているため、必要に応じてベルトを付け替えることができる。また、ベルトのみ、ズボン本体のみを洗濯することができる。
【００１２】
この加圧用ズボンは、前記着脱用露出が行われる際に開かれる前記ズボン本体の一部と、前記調整用露出が行われる際に開かれる前記ズボン本体の一部の少なくとも一方が、前記ズボン本体の外側部に位置するように構成してもよい。こうすれば、前記所定の締め付け部位を露出できるようになっている前記ズボン本体の前記一部が運動の妨げになることがない。
また、前記着脱用露出が行われる際に開かれる前記ズボン本体の一部と、前記調整用露出が行われる際に開かれる前記ズボン本体の一部とが、一連であるように構成してもよい。こうすれば、前記所定の締め付け部位を露出できるようになっている前記ズボン本体の前記一部の構造を簡単にすることができる。
【００１３】
前記所定の締め付け部位を露出できるようになっている前記ズボン本体の前記一部は、これを開くことにより、着脱用露出と調整用露出が行えるようなものであり、前記ベルトの着脱作業、調整作業ができるように、前記所定の締め付け部位の上側から下側にかけて設けられていれば、どのようなものによって構成されてもよい。
例えば、面ファスナ（ベロクロテープ）や、対向して設けられた多数の務歯と、通り過ぎることによって開状態を閉状態、あるいは閉状態を開状態にするスライダと、を有する線ファスナを備えている線ファスナにより構成することができる。
【００１４】
線ファスナを用いる場合、前記所定の締め付け部位の上側と下側のいずれの方向からも開閉することができるものを用いることができる。また、線ファスナは、前記上側からはその一部を開閉することができ、前記下側からはその全てを開閉することができるようにしてもよい。
より具体的には、前記線ファスナは、前記所定の締め付け部位の上側から前記ズボン本体の裾の末端にかけて設けられており、前記裾側から前記線ファスナが通り過ぎた部分が展開されるようになっているようにする。
こうすれば、前記裾側から前記線ファスナを全て開くことにより、裾が完全に切り開かれた状態となるため、所定の締め付け部位よりも裾側にある脚全体を露出させることができ、ベルトの着脱作業をより容易に行うことができる。
【００１５】
以上の加圧用ズボンは、脚を通すことができ、且つ前記所定の締め付け部位を覆うことのできる形状とされるとともに、前記ズボン本体の内側に固定されることで外部から見えなくなっているインナーと、前記ベルトを前記インナーに対して固定する際に使用されるものであり、前記所定の締め付け部位に対応するようにして前記インナーに取り付けられたバックルと、を更に備えているものであってもよい。
この加圧用ズボンによれば、脚を通すことができ、且つ前記所定の締め付け部位を覆うことのできる形状とされるとともに、前記ズボン本体の内側に固定されるインナーを備えるため、露出する肌をより少なくすることができ、特に女性にとって、屋外での前記着脱作業または前記調整作業を行いやすくなる。
このインナーは、脚を通すことができ、且つ前記所定の締め付け部位を覆うことのできる形状とされるとともに、前記ズボン本体の内側に固定されることで外部から見えなくなっているものであれば、どのような形状、材質のものであってもよく、例えば、伸縮性を有し、保温性が高いスパッツであってもよい。
このインナーは、使用時に前記ズボン本体に固定されていればよい。例えば、インナーの前記ズボン本体に対する固定は、縫いつけ等によって行ってもよいし、面ファスナ等によって行ってもよい。前者の場合であれば、インナーとズボンが常に固定されるため、どちらかが紛失したりすることがない。後者の場合であれば、どちらか一方のみ、例えば、汗を吸い込みやすいインナーのみを洗濯することができる。
また、この加圧用ズボンによれば、前記ベルトを前記インナーに対して固定する際に使用されるものであり、前記所定の締め付け部位に対応するようにして前記インナーに取り付けられたバックルを備えるため、このバックルに前記ベルトを取り付けることにより、前記ベルトを常に脚の所定の位置に締め付けることができるので、加圧を手軽に正確に行うことができる。
【００１６】
【発明の実施の形態】
以下、図１ないし図６を参照して、本発明の加圧用ズボンの好ましい一実施形態について、説明する。
本発明の加圧用ズボンは、図１に示すように、本体１と、二本のベルト４と、を有する。
【００１７】
本体１は、ズボン本体２と、インナー５と、二つのバックル６と、を有している。
【００１８】
ズボン本体２は、ベルト４を外部から隠すためのものであり、脚を覆う筒状部を有するズボン形状、例えば、一般的なトレーニングズボンの形状をしており、その外側部に、線ファスナ３が設けられている。
線ファスナ３は、対向して設けられた多数の務歯と、二つのスライダ３ａ，３ｂと、を有し、これらのスライダ３ａまたは３ｂをスライドさせ、それが通り過ぎた位置の線ファスナの開状態を閉状態、あるいは閉状態を開状態にするものである。スライダ３ｂは、スライダ３ａよりも裾側に位置している。
この線ファスナ３は、ベルト４の所定の締め付け部位の上側からズボン本体２の裾の末端にかけて設けられている。そして、スライダ３ａ，３ｂをスライドさせることによって、上側、裾側いずれの方向からも開閉することができるようになっており、その一部を開状態とすることにより、その内部に位置するベルト４を締め付けるための締め付け部位を、必要に応じて露出できるようになっている。  また、線ファスナ３は、ベルト４の締め付け部位の上側からズボン本体２の裾の末端にかけて設けられているので、裾側から上側にスライダ３ａ，３ｂをスライドさせると、裾側からスライダ３ａ，３ｂが通り過ぎた位置が展開されようになっている。
なお、この実施形態では、線ファスナ３は、ベルト４の所定の締め付け部位の上側からズボン本体２の裾の末端にかけて設けられているものとして説明しているが、ベルト４の着脱作業、調整作業ができるように、所定の締め付け部位の上側から下側にかけて設けられているものであればよい。
また、線ファスナ３に限られるものでなく、それを開くことによって着脱用露出と調整用露出が行えるようなもので、ベルト４の着脱作業、調整作業ができるように、所定の締め付け部位の上側から下側にかけて設けられているものであれば、どのようなものによって構成されてもよい。
【００１９】
インナー５は、図３のように脚を通すことができる二つの筒状部分を持つ、ベルト４を締め付けるための所定の締め付け部位を覆うことのできる形状の、布で形成された伸縮性を有するスパッツである。
このインナー５は、そのウエスト部分をズボン本体２のウエスト部分に縫いつけることにより、ズボン本体２の内側に固定されている。図１のように、線ファスナ３を閉状態にした場合には、外部から見えなくなっている。
なお、この実施形態では、インナー５は、布で形成された伸縮性を有するスパッツとして記載するが、上述のように、これに限られるものではなく、脚を通すことができ、ベルト４が取り付けられる所定の締め付け部位を覆うことのできる形状のものであればよい。また、この実施形態では、ズボン本体２に縫いつけられているものとして記載するが、上述のように、これに限られるものではなく、使用時にズボン本体２に固定できるものであればよい。
【００２０】
バックル６は、ベルト４をインナー５に対して固定する際に使用されるものであり、ベルト４が取り付けられる所定の締め付け部位に対応するようにして、インナー５に取り付けられている。本実施形態の場合、インナー５の上記筒状部分の基端部に取り付けられており、二つの筒状部分の両方に取り付けられている。
もっとも、バックル６は、二つの筒状部分の一方に取り付けられていれば足りる。
また、バックル６は、インナー５の外側部に取り付けられている。バックル６のこの取付け位置は、加圧用ズボンを履いた人が、インナー５にベルト４を固定して加圧用ズボンとする際における、その着脱作業の行いやすさを意図して決定されている。
この実施形態におけるバックル６は、図２に示したような形状をしている。図２は、バックル６の構成を示す拡大図である。バックル６は、棒状の部材を矩形に連ねて形成された枠部６ａと、枠部６ａを構成する辺のうち対向する二本の略中央の間にわたされた棒状の部材である取付け部６ｂとを含んで構成される。また、この取付け部６ｂにより枠部６ａの内部が分割されることにより、枠部６ａの内部には、二つのバックル孔６ｃが形成されている。
取付け部６ｂは、バックル６をインナー５へ取り付ける際に利用されるものである。バックル６は、Ｕの字型に折り曲げられるとともにその両端部がインナー５に縫合などによって固定されている、帯状の固定用布８を介して、インナー５に取り付けられているのであるが、上述の取付け部６ｂを固定用布８の折り返し部分に係止することで、インナー５への取付けをなされている。つまり、固定用布８に取付け部６ｂを跨がせ、その状態で固定用布８の両端部をインナー５に固定することで、バックル６のインナー５への固定がなされている。なお、バックル６のインナー５への固定に固定用布８を用いることで、バックル６が多少の移動を行えるようになる。これは、ベルト４の着脱作業の行い易さを増すものである。
なお、バックル６は、ベルト４をインナー５に対して固定することができるようなものであり、所定の締め付け部位に対応するようにしてインナー５に取り付けられていれば、上述のような形状のものに限られない。
【００２１】
次に、ベルト４の構成について説明する。
ベルト４は、上述したように、バックル６に取り付けて用いられる。ベルト４は、本体１を身につけた際に、ズボン本体２の筒状部分の内側にある使用者の身体の所定部位（この実施形態であれば、脚の基端部）を締め付け、そこに所定の加圧力を与えることによって、脚に流れる血流を適度に阻害する機能を有している。この状態で、安静にする、又は軽くてもよいので運動を行うことで、加圧筋肉増強方法が実行されることになる。
このベルト４は、必ずしもそうである必要はないが、伸縮性を有する素材でできている。ベルト４は、その一端部でバックル６に固定できるようになっている。ベルト４のバックル６に対する固定を行えるように、ベルト４の一端部側には、ベルト４の一端部側を折り返し、その折り返したベルト４の一端部を、ベルト４の他端部寄りの部分に固定してループを作るための機構が設けられている。具体的には、ベルト４の一方の面の一端部に二つのホック７ａが、また、それと同一の面のやや他端部よりに前記ホック７ａとそれぞれ係止しあう二つのホック７ｂが、それぞれ設けられている。ベルト４は、ベルト４の一端部側をバックル孔６ｃのうちインナー５の中心線よりに位置するものに、図１のバックル６の裏側から通すとともに、バックル６の枠部６ａのうち、インナー５の中心線よりに位置する縦向きの部材を跨ぐようにして折り返し、互いに対応するホック７ａと、ホック７ｂとを係止しあうことで、バックル６へ固定される。バックル６の枠部６ａのうち、インナー５の中心線よりに位置する縦向きの部材は、バックル６の一端側に作られたループを貫通した状態となり、そこから抜け出せなくなるので、バックル６とベルト４が固定されるわけである。
ベルト４のホック７ａ，７ｂが設けられている側の面には、互いに固着しあう面ファスナ９ａ，９ｂが設けられている。面ファスナ９ａ，９ｂのうち一端部側にある面ファスナ９ａは、ベルト４が作る後述の輪の部分に凡そ沿うように、他端部側にある面ファスナ９ｂは、ベルト４が作る後述の輪以外の部分に凡そ沿うようにして配されている。
【００２２】
この状態で、本体１とベルト４は、互いに固定され、加圧用ズボンとなり、加圧筋肉増強方法を実行できるようになる。
なお、ベルト４は、インナー５に二つのバックル６が取り付けられている場合には、それぞれのバックル６に取り付けてもよいし、一つのバックル６のみに取り付けてもよい。
【００２３】
かかる加圧用ズボンを用いて加圧筋肉増強方法を実行するための手順について、説明する。
図１の如き加圧用ズボンを使用する使用者は、図１の如き加圧用ズボンを着用している。その状態で使用者は、図３，図４に示すように、脚の周りを背後から一周するようにまわしたベルト４の他端側を、二つのバックル孔６ｃのうちインナー５の中心線から離れているものに、図３の裏側、図４の上側から通す。そして、そのままベルト４の他端側を引っ張り、バックル６を起点及び終点にしてベルト４により形成された輪の長さを縮めることで、輪状にされたベルト４がインナー５の内側にある使用者の脚の基端部を締め付ける。このとき、ベルト４の他端側を引っ張る強さを調節し、脚の筋肉に与えられる締め付け力が適当なものとなるように調節する。
次に、ベルト４の他端側を、バックル６の枠部６ａのうち、インナー５の中心線から離れている縦向きの部材を支点として折り返し、面ファスナ９ａ，９ｂを互いに固着させる。
この状態で、ベルト４が作る上記輪の長さは一定に保たれることになり、脚の筋肉に与えられる締め付け力は、一定に保たれることになる。この状態で、安静にする、又は軽くてもよいので運動を行うことで、加圧筋肉増強方法が実行される。なお、この加圧用ズボンを用いれば、加圧筋肉増強方法は、片足ずつでも、両足同時にでも実行できる。
【００２４】
このベルト４の本体１に対する取り付けは、図１に示すように、スライダ３ａ，３ｂを線ファスナ３の上部側にスライドさせ、線ファスナ３を裾側から開いて、裾が完全に切り開かれた状態で行う。
こうすると、図から明らかなように、所定の締め付け部位よりも裾側にある脚全体を露出させることができるので、取り付け作業を容易に行うことができる。また、このバックル６にベルト４を取り付けることにより、ベルト４を常に脚の所定の位置に締め付けることができるので、加圧を手軽に正確に行うことができる。
なお、この際、加圧筋肉増強方法をすぐに行うような場合であれば、上述したようなベルト４の締め付けを行えばよいし、ある地点まで歩いて移動した後に加圧筋肉増強方法を行うような場合であれば、ベルト４を締め付けない状態にすればよい。
【００２５】
このようにベルト４を締め付けて加圧筋肉増強方法を行う、又はベルト４を締め付けない状態で移動する場合には、図５に示すように、スライダ３ｂを裾の末端までスライドさせることによりズボン本体２の線ファスナ３を閉状態にすることができる。
図から明らかなように、線ファスナ３が閉状態である場合、インナー５、バックル６、及びベルト４が外部から隠れるため、ファッション性の面で優れたものとなる。
【００２６】
身につけているベルト４の加圧力を調整したい場合は、図６に示すように、スライダ３ａを線ファスナ３の裾部側にスライドさせ、ズボン本体２の線ファスナ３を上側から開き、ベルト４が締め付けられている所定の締め付け部位を露出させた状態で行う。
この調整作業は屋外で行うことが多いところ、図１に示すベルト４の着脱用露出の露出量よりも少ない露出量で調整作業が行うことができる。
つまり、図１のように、所定の締め付け部位よりも裾側にある脚全体を露出させることなく所定の締め付け部位を露出させることができるため、特に女性にとって、屋外での調整作業を行いやすくすることができる。
【００２７】
このような調整作業を行った後には、上述のように、スライダ３ｂを裾の末端までスライドさせることによりズボン本体２の線ファスナ３を閉状態にし、再び加圧筋肉増強方法を行う。
【００２８】
また、ベルト４を本体１から取り外したり、付け替えたりする場合には、上述したベルト４の取り付け作業を行う場合と同様に、図１に示すように、スライダ３ａ，３ｂを線ファスナ３の上部側にスライドさせ、線ファスナ３を裾側から開いて、裾が完全に切り開かれた状態で行う。こうすると、図から明らかなように、所定の締め付け部位よりも裾側にある脚全体を露出させることができるので、ベルトの取り外し作業を容易に行うことができる。
【００２９】
【発明の効果】
以上詳述したように、本発明によれば、ベルトを外部から隠すようにした衣服におけるベルトの着脱作業および調整作業を容易にできるようになり、健常者のみならず運動機能に障害を有する者でも効率よく筋肉増強を図れるようになるという利点を有する血流阻害による筋肉増強方法を、特に知識のない者でも非常に簡単に実行できるようになる。
【図面の簡単な説明】
【図１】本発明の加圧用ズボンのズボン本体の線ファスナを裾側から全開した状態を示す図。
【図２】本発明のバックルを示す図。
【図３】本体のバックルに対するベルトの締め付け方を示す図。
【図４】本体のバックルに対するベルトの締め付け方を示す図。
【図５】本発明の加圧用ズボンのズボン本体の線ファスナを閉めた状態を示す図。
【図６】本発明の加圧用ズボンのズボン本体の線ファスナを上側から開き、締め付け部位を露出させた状態を示す図。
【符号の説明】
１  本体
２  ズボン本体
３  線ファスナ
３ａ，３ｂ  スライダ
４  ベルト
５  インナー
６  バックル
６ａ  枠部
６ｂ  取付け部
６ｃ  バックル孔
７ａ，７ｂ  ホック
８  固定用布
９ａ，９ｂ  面ファスナ
【図１】
2004215859.tif 000003
【図２】
2004215859.tif 000004
【図３】
2004215859.tif 000005
【図４】
2004215859.tif 000006
【図５】
2004215859.tif 000007
【図６】
2004215859.tif 000008